【手続補正書】
【提出日】平成17年8月26日(2005.8.26)
【手続補正１】
【補正対象書類名】明細書
【補正対象項目名】発明の名称
【補正方法】変更
【補正の内容】
【発明の名称】画像処理装置及びその制御方法
【手続補正２】
【補正対象書類名】明細書
【補正対象項目名】特許請求の範囲
【補正方法】変更
【補正の内容】
【特許請求の範囲】
【請求項１】  画像を管理・印刷する画像処理装置であって、
複数の画像を選択する画像選択手段と、前記画像選択手段での画像選択が継続状態かどうかを判断する選択継続状態判断手段と、前記選択継続状態判断手段から連携データを出力する連携データ出力手段とを備える画像管理手段と、前記連携データを入力する連携データ入力手段と、複数の画像に対する印刷枚数設定情報を入出力する印刷枚数設定情報入出力手段と、前記連携データと上記印刷枚数設定情報を用いて連携データ中の複数の画像の印刷枚数設定を行う印刷枚数設定手段とを備える画像印刷手段を備えることを特徴とする画像処理装置。
【請求項２】  前記選択継続状態判断手段は、キーボードの特定のキーを押しながら上記画像選択手段が行われたときは継続と判断することを特徴とする請求項１記載の画像処理装置。
【請求項３】  前記選択継続状態判断手段は、マウスの特定のボタンを押しながら上記画像選択手段が行われたときは継続と判断することを特徴とする請求項１記載の画像処理装置。
【請求項４】  前記選択継続状態判断手段は、キーボードとマウスの特定のボタンの何れかを押しながら前記画像選択手段が行われたときは継続と判断することを特徴とする請求項１記載の画像処理装置。
【請求項５】  前記選択継続状態判断手段は、キーボードの特定のキーとマウスの特定のボタンの両方を押しながら前記画像選択手段が行われたときは継続と判断することを特徴とする請求項１記載の画像処理装置。
【請求項６】  前記連携データは、テキストデータで出力することを特徴とする請求項１記載の画像処理装置。
【請求項７】  前記連携データは、ＸＭＬファイルであることを特徴とする請求項１記載の画像処理装置。
【請求項８】  前記連携データは、ＨＴＭＬファイルであることを特徴とする請求項１記載の画像処理装置。
【請求項９】  前記連携データは、ＳＧＭＬファイルであることを特徴とする請求項１記載の画像処理装置。
【請求項１０】  前記連携データは、バイナリファイルであることを特徴とする請求項１記載の画像処理装置。
【請求項１１】  前記連携データは、複数の画像データの所在を記録することを特徴とする請求項１記載の画像処理装置。
【請求項１２】  前記連携データは、複数の画像データの所在と選択継続状態として日時情報を記録することを特徴とする請求項１記載の画像処理装置。
【請求項１３】  前記印刷枚数設定情報は、テキストファイルであることを特徴とする請求項１記載の画像処理装置。
【請求項１４】  前記印刷枚数設定情報は、ＸＭＬファイルであることを特徴とする請求項１記載の画像処理装置。
【請求項１５】  前記印刷枚数設定情報は、ＨＴＭＬファイルであることを特徴とする請求項１記載の画像処理装置。
【請求項１６】  前記印刷枚数設定情報は、ＳＧＭＬファイルであることを特徴とする請求項１記載の画像処理装置。
【請求項１７】  前記印刷枚数設定情報は、バイナリファイルであることを特徴とする請求項１記載の画像処理装置。
【請求項１８】  前記印刷枚数設定情報は、複数の画像データの所在を記録することを特徴とする請求項１記載の画像処理装置。
【請求項１９】  前記印刷枚数設定情報は、複数の画像データの所在と印刷枚数設定を記録することを特徴とする請求項１記載の画像処理装置。
【請求項２０】  前記印刷枚数切り替え手段は、前記連携データに含まれる日時情報と前記印刷枚数設定情報に含まれる日時情報が同じときには印刷枚数設定情報を有効にすることを特徴とする請求項１記載の画像処理装置。
【請求項２１】  前記印刷枚数切り替え手段は、前記連携データに含まれる日時情報と前記印刷枚数設定情報に含まれる日時情報が違うときには印刷枚数設定情報を有効にしないことを特徴とする請求項１記載の画像処理装置。
【請求項２２】  前記連携データは、ＸＭＬ形式で画像の論理的なグループも記述できることを特徴とする請求項７記載の画像処理装置。
【請求項２３】  上記連携データは、ＸＭＬ形式で画像の論理的なグループも記述できることを特徴とする請求項７記載の画像処理装置。
【請求項２４】  画像選択処理機能と、印刷制御処理機能とを有する画像処理装置であって、
画像選択処理機能において、
画像記憶手段に記録されている画像データから所望の複数の画像を選択する選択手段と、
前記選択手段により選択された画像を特定する情報が記述された連携データを作成する連携データ作成手段と、
印刷制御処理において、
前記連携データ作成手段で作成された前記連携データを取り込む取り込み手段と、
前記連携データで特定される画像に対する印刷設定を印刷設定手段と、
前記印刷設定手段で設定された印刷情報を記憶する設定記憶手段とを有し、
前記画像選択が継続しているか否かを判別する判別手段とを有し、判別結果に応じて、前期設定記憶手段により記憶される印刷情報を、前記連携データで特定される画像に関する印刷設定へ反映するか否かを制御することを特徴とする画像処理装置。
【請求項２５】  前記判別手段は、前記印刷情報と前記連携データとの時間データに基づいて判定されることを特徴とする請求項２４に記載の画像処理装置。
【請求項２６】  前記印刷情報には印刷枚数情報を含むことを特徴とする請求項２４ないし２５のいずれか１項に記載の画像処理装置。
【請求項２７】  前記判別手段により画像選択が継続していないと判別した場合には、前記連携データで特定される画像への印刷枚数の初期状態を全て１とすることを特徴とする請求項２４ないし２６のいずれか１項に記載の画像処理装置。
【請求項２８】  画像選択処理機能と、印刷制御処理機能とを有する画像処理装置の制御方法であって、
画像選択処理機能において、
画像記憶手段に記録されている画像データから所望の複数の画像を選択する選択工程と、
前記選択工程により選択された画像を特定する情報が記述された連携データを作成する連携データ作成工程と、
印刷制御処理において、
前記連携データ作成工程で作成された前記連携データを取り込む取り込み工程と、
前記連携データで特定される画像に対する印刷設定を印刷設定工程と、
前記印刷設定工程で設定された印刷情報を記憶する設定記憶工程とを有し、
前記画像選択が継続しているか否かを判別する判別工程とを有し、判別結果に応じて、前期設定記憶工程で記憶された印刷情報を、前記連携データで特定される画像に関する印刷設定へ反映するか否かを制御することを特徴とする画像処理装置の制御方法。
【請求項２９】  前記判別工程は、前記印刷情報と前記連携データとの時間データに基づいて判定されることを特徴とする請求項２８に記載の画像処理装置の制御方法。
【請求項３０】  前記印刷情報には印刷枚数情報を含むことを特徴とする請求項２８ないし２９のいずれか１項に記載の画像処理装置の制御方法。
【請求項３１】  前記判別工程により画像選択が継続していないと判別した場合には、前記連携データで特定される画像への印刷枚数の初期状態を全て１とすることを特徴とする請求項２８ないし３０のいずれか１項に記載の画像処理装置の制御方法。